(57)【要約】【課題】本発明は、自動的にプロファイルを切り換えてアクセスポイントとの接続を保持できる無線ＬＡＮネットワークシステムにおける接続制御方法を提供することを目的とする。【解決手段】本発明の無線ＬＡＮネットワークシステムにおける接続制御方法によれば、クライアント側の、無線ＬＡＮネットワークに参加するためのＩＤであるＳＳＩＤとＷＥＰキーを含む複数のプロファイルを指定し、アクセスポイントがダウンした場合、次に接続すべきアクセスポイントのプロファイルに切り換えて接続する。【選択図】　　　　図４
2004007120.tif 000002
【特許請求の範囲】
【請求項１】
無線ＬＡＮ端末装置を有する複数のクライアント側とアクセスポイントを介して有線ＬＡＮネットワークとの相互に通信を行う無線ＬＡＮネットワークシステムにおける接続制御方法において、
クライアント側の、無線ＬＡＮネットワークに参加するためのＩＤであるＳＳＩＤとＷＥＰキーを含む複数のプロファイルを指定し、アクセスポイントがダウンした場合、次に接続すべきアクセスポイントのプロファイルに切り換えて接続することを特徴とする無線ＬＡＮネットワークシステムにおける接続制御方法。
【請求項２】
アクセスポイントがダウンした場合に複数のプロファイルの全て接続できなかった場合、近くのアクセスポイントが使用しているＳＳＩＤを取得するＡＮＹモードへ切り換える請求項１記載の無線ＬＡＮネットワークシステムにおける接続制御方法。
【請求項３】
複数のプロファイルでＳＳＩＤとＷＥＰキーのそれぞれ別々に指定し、アクセスポイントがダウンした場合、ＳＳＩＤとＷＥＰキーを組合わせて複数のパターンで接続を試みる請求項１記載の無線ＬＡＮネットワークシステムにおける接続制御方法。
【発明の詳細な説明】
【０００１】
【発明の属する技術分野】
本発明は無線ＬＡＮネットワークシステムにおける接続制御方法に関し、詳細には無線ＬＡＮ端末装置を有する複数のクライアント側とアクセスポイントを介して有線ＬＡＮネットワークとの相互に通信を行う無線ＬＡＮネットワークシステムで指定したアクセスポイントが存在しない場合の接続制御方法に関する。
【０００２】
【従来の技術】
無線ＬＡＮネットワークにおいてアクセスポイントと呼ばれる中継機を経由して有線ＬＡＮネットワークと相互に通信を行う環境において、通常クライアントはＳＳＩＤ（Ｓｅｒｖｉｃｅ　Ｓｅｔ　ＩＤ）と呼ばれるＩＤを指定してアクセスポイントを限定し無線ＬＡＮネットワークに参加する。このＳＳＩＤは無線ＬＡＮネットワークに参加するためのＩＤで、通常クラアイントはアクセスポイントが使用しているＩＤと同じＩＤを設定することにより無線ネットワークへの参加が可能となる。そこで、無線ＬＡＮネットワークに複数のアクセスポイントが存在し、各アクセスポイントがそれぞれ異なるＳＳＩＤを使用していた場合、クライアントはこのＩＤによりアクセスポイントを特定することができるのである。また、クライアント側では異なる無線ネットワーク環境用にプロファイル（ＳＳＩＤやＷＥＰ設定情報）を複数保持することができる。
【０００３】
【発明が解決しようとする課題】
しかしながら、通常ネットワークを移動するごとにユーザが直接プロファイルを切り換えなくてはならず煩雑であった。また、自動的に近くのアクセスポイントが使用しているＳＳＩＤを取得する機能であるＡＮＹモードも考えられるが、このＡＮＹモードで自動的にアクセスポイントを切り換えたとしてもＷＥＰキーを使用していたり使用していなかったりといったネットワーク環境が存在する場合は自動切り替えを行うことはできない。
【０００４】
本発明はこれらの問題点を解決するためのものであり、自動的にプロファイルを切り換えてアクセスポイントとの接続を保持できる無線ＬＡＮネットワークシステムにおける接続制御方法を提供することを目的とする。
【０００５】
【課題を解決するための手段】
前記問題点を解決するために、無線ＬＡＮ端末装置を有する複数のクライアント側とアクセスポイントを介して有線ＬＡＮネットワークとの相互に通信を行う、本発明の無線ＬＡＮネットワークシステムにおける接続制御方法によれば、クライアント側の、無線ＬＡＮネットワークに参加するためのＩＤであるＳＳＩＤとＷＥＰキーを含む複数のプロファイルを指定し、アクセスポイントがダウンした場合、次に接続すべきアクセスポイントのプロファイルに切り換えて接続する。よって、接続中のアクセスポイントがダウンした場合に異なるアクセスポイントに自動接続することができる。
【０００６】
また、アクセスポイントがダウンした場合に複数のプロファイルの全て接続できなかった場合、近くのアクセスポイントが使用しているＳＳＩＤを取得するＡＮＹモードへ切り換える。よって、ユーザがしたアクセスポイントが存在しなかった場合に自動的にＡＮＹモードでアクセスポイントの接続を試みることができる。
【０００７】
更に、複数のプロファイルでＳＳＩＤとＷＥＰキーのそれぞれ別々に指定し、アクセスポイントがダウンした場合、ＳＳＩＤとＷＥＰキーを組合わせて複数のパターンで接続を試みる。よって、ユーザが指定したＳＳＩＤとＷＥＰキーを自動的に組合わせて全てのパターンで一致するアクセスポイントを検索し、接続を試みることができる。
【０００８】
【発明の実施の形態】
本発明の無線ＬＡＮネットワークシステムにおける接続制御方法によれば、クライアント側の、無線ＬＡＮネットワークに参加するためのＩＤであるＳＳＩＤとＷＥＰキーを含む複数のプロファイルを指定し、アクセスポイントがダウンした場合、次に接続すべきアクセスポイントのプロファイルに切り換えて接続する。
【０００９】
【実施例】
図１は本発明の一実施例に係る無線ＬＡＮネットワークシステムのシステム構成を示す概略図である。同図に示すように、本発明の無線ＬＡＮネットワークシステムは、有線ＬＡＮ１０１を介して、サーバ１０２，１０３、プリンタ１０４、スキャナ１０５が互いに接続し、また無線ＬＡＮを構築するためのアクセスポイント１０６が有線ＬＡＮ１０１に接続されている。そして、複数のクライアントＰＣ端末装置１０７−１〜１０７−ｎは各自装置内に具備された無線ＬＡＮ端末装置（図示せず）を介してアクセスポイント１０６と無線によって接続される。
【００１０】
図２は無線ＬＡＮ端末装置の構成を示すブロック図である。同図において、無線ＬＡＮ端末装置２００は、Ｗｉｒｅｌｅｓｓでデータを送受信するための無線ネットワークインターフェース部（以下ネットワークＩ／Ｆ部と称す）２０１、各種設定を記憶するための記憶部２０２、各種操作をするための操作部２０３及び各種データの処理を行う制御部２０４を有している。
【００１１】
図３は図１のアクセスポイントの構成を示すブロック図である。同図において、アクセスポイント３００は、有線ＬＡＮ等の有線ＬＡＮとの仲介を行う有線ネットワークインターフェース部（以下有線ネットワークＩ／Ｆ部と称す）３０１、無線ＬＡＮ端末装置との通信を行う無線ネットワークインターフェース部（以下無線ネットワークＩ／Ｆ部と称す）３０２、通信状態を表示するＬＥＤ３０３、接続したクラアイアントを管理するための制御部３０４、クライアントのアクセス制御等の情報を保持するための記憶部３０５を有している。
【００１２】
図４は本実施例の無線ＬＡＮネットワークシステムの動作を示すフローチャートである。同図において、クライアント側の無線ＬＡＮ端末装置２００のネットワーク設定で接続したいアクセスポイントのプライマリプロファイル、セカンダリプロファイルを指定して記憶領域に保存する（ステップＳ１０１）。ここでのプロファイルは２つのみだが、複数のプロファイルを設定可能とする。プロファイルにはＳＳＩＤ、暗号機能の有効／無効及びＷＥＰキーが設定できるものとする。そして、設定終了後、無線ＬＡＮ端末装置２００は図２の記憶部２０２から自ネットワーク情報を取得し（ステップＳ１０２）、Ｐｒｏｂｅ　Ｒｅｑｕｅｓｔパケットにより周囲のアクセスポイントをスキャンして送信する（ステップＳ１０３）。アクセスポイントではクライアント側から接続要求を受信したら図３の記憶部３０５から自ネットワーク情報を取得してクライアントへパケット送信する（ステップＳ１０４〜Ｓ１０６）。次に、複数のアクセスポイントが存在する場合、各アクセスポイントからのＲｅｓｐｏｎｓｅを受信し、Ｓｃａｎ　Ｒｅｓｕｌｔテーブルにスキャン結果（チャンネルやＳＳＩＤ、電波状態などの情報）を保持する（ステップＳ１０７）。そして、このＳｃａｎ　Ｒｅｓｕｌｔテーブルを参照し（ステップＳ１０８）、設定したプライマリのプロファイルと一致するアクセスポイントのみを抜き出す（ステップＳ１０８；ＹＥＳ、ステップＳ１０９）。そして、Ｓｃａｎ　Ｒｅｓｕｌｔテーブルにプライマリプロファイル一致するアクセスポイントが有るか否かを検索し、有れば該当するアクセスポイントに接続して通信を開始する（ステップＳ１１０；ＹＥＳ、ステップＳ１１１，Ｓ１１２）。もし一致するアクセスポイントが複数台存在した場合は、Ｓｃａｎ　Ｒｅｓｕｌｔテーブルに保存されている電波状態に関する情報から最も電波状態が良いアクセスポイントと接続する。接続後、接続中のアクセスポイントがダウンした場合に再度アクセスポイントをスキャンし、Ｓｃａｎ　Ｒｅｓｕｌｔのテーブルに保持する。このＳｃａｎ　Ｒｅｓｕｌｔテーブルからプライマリプロファイルに一致するアクセスポイントを検索し（ステップＳ１１０）、見つかった場合は該当するアクセスポイントに接続して通信を開始する（ステップＳ１１０；ＹＥＳ、ステップＳ１１１，Ｓ１１２）。また，検索時にプライマリプロファイルと一致するアクセスポイントが存在しなかった場合（ステップＳ１１０；ＮＯ）、セカンダリのアクセスポイントでテーブルを検索し（ステップＳ１１３）、見つかった場合に接続する。一方、セカンダリのプロファイルにも一致するアクセスポイントが存在しなかった場合は（ステップＳ１０８；ＮＯ）、ＡＮＹモードで動作し、最も電波状態の良いアクセスポイントに自動接続する（ステップＳ１１４，Ｓ１１１，Ｓ１１２）。なお、ここで、通信が途絶えた場合は、ステップＳ１０３〜Ｓ１１１を繰り返す。また、ステップＳ１０９で、このＳｃａｎ　Ｒｅｓｕｌｔテーブルを参照し、設定したＳＳＩＤとＷＥＰキーを順番に組合わせ、一致するアクセスポイントを抜き出す。この順番に組合わせるという動作はステップＳ１０９で行われ、例えばプロファイルが図５に示すように２つ設定されていた場合、以下の順番でＳＳＩＤとＷＥＰキーを組合わせしてアクセスポイントへの接続を試みる。
１．Ａ＋Ｃ　　２．Ｂ＋Ｄ　　３．Ａ＋Ｄ　　４．Ｂ＋Ｃ
【００１３】
なお、本発明は上記実施例に限定されるものではなく、特許請求の範囲内の記載であれば多種の変形や置換可能であることは言うまでもない。
【００１４】
【発明の効果】
以上説明したように、無線ＬＡＮ端末装置を有する複数のクライアント側とアクセスポイントを介して有線ＬＡＮネットワークとの相互に通信を行う、本発明の無線ＬＡＮネットワークシステムにおける接続制御方法によれば、クライアント側の、無線ＬＡＮネットワークに参加するためのＩＤであるＳＳＩＤとＷＥＰキーを含む複数のプロファイルを指定し、アクセスポイントがダウンした場合、次に接続すべきアクセスポイントのプロファイルに切り換えて接続する。よって、接続中のアクセスポイントがダウンした場合に異なるアクセスポイントに自動接続することができる。
【００１５】
また、アクセスポイントがダウンした場合に複数のプロファイルの全て接続できなかった場合、近くのアクセスポイントが使用しているＳＳＩＤを取得するＡＮＹモードへ切り換える。よって、ユーザがしたアクセスポイントが存在しなかった場合に自動的にＡＮＹモードでアクセスポイントの接続を試みることができる。
【００１６】
更に、複数のプロファイルでＳＳＩＤとＷＥＰキーのそれぞれ別々に指定し、アクセスポイントがダウンした場合、ＳＳＩＤとＷＥＰキーを組合わせて複数のパターンで接続を試みる。よって、ユーザが指定したＳＳＩＤとＷＥＰキーを自動的に組合わせて全てのパターンで一致するアクセスポイントを検索し、接続を試みることができる。
【図面の簡単な説明】
【図１】本発明の一実施例に係る無線ＬＡＮネットワークシステムのシステム構成を示す概略図である。
【図２】無線ＬＡＮ端末装置の構成を示すブロック図である。
【図３】
図１のアクセスポイントの構成を示すブロック図である。
【図４】本実施例の無線ＬＡＮネットワークシステムの動作を示すフローチャートである。
【図５】プロファイルの一例を示す図である。
【符号の説明】
１０１；有線ＬＡＮ、１０２，１０３；サーバ、１０４；プリンタ１０４、
１０５；スキャナ、１０６；アクセスポイント、
１０７−１〜１０７−ｎ；クライアントＰＣ端末装置、
２００；無線ＬＡＮ端末装置、２０１；ネットワークＩ／Ｆ部、
２０２，３０５；記憶部、２０３；操作部、２０４，３０４；制御部、
３００；アクセスポイント、３０１；有線ネットワークＩ／Ｆ、
３０２；無線ネットワークＩ／Ｆ部、３０３；ＬＥＤ。
【図１】
2004007120.tif 000003
【図２】
2004007120.tif 000004
【図３】
2004007120.tif 000005
【図４】
2004007120.tif 000006
【図５】
2004007120.tif 000007